(57)【要約】      （修正有）【課題】物品収容空間の温度を迅速に調節することができる積層容器を提供する。【解決手段】発泡樹脂材を用いて形成されると共に物品を収容可能な物品収容空間を形成する本体部２と、物品収容空間の外側で本体部の少なくとも一部を覆う被覆部３とを備え、本体部は、本体部の外側の空間と物品収容空間とを連通させる本体貫通部２ａ１を備え、被覆部は、本体部の少なくとも一部を覆った状態で、本体部側の空間と本体部側とは反対側の空間とを連通させる被覆貫通部３ａ１を備え、本体貫通部の内側の空間と被覆貫通部の内側の空間とが重なるように本体部と被覆部とが配置される。【選択図】図１
0003220485.tif 000002
【実用新案登録請求の範囲】
【請求項１】
発泡樹脂材を用いて形成されると共に物品を収容可能な物品収容空間を形成する本体部と、物品収容空間の外側で本体部の少なくとも一部を覆う被覆部とを備えており、
本体部は、本体部の外側の空間と物品収容空間とを連通させる本体貫通部を備えており、
被覆部は、本体部の少なくとも一部を覆った状態で、本体部側の空間と本体部側とは反対側の空間とを連通させる被覆貫通部を備えており、
本体貫通部の内側の空間と被覆貫通部の内側の空間とが重なるように本体部と被覆部とが配置される積層容器。
【請求項２】
被覆部側から積層容器を見た際に、本体貫通部を構成する被覆部側の開口部が被覆貫通部の内側に位置する請求項１に記載の積層容器。
【請求項３】
被覆部は、被覆貫通部を閉塞する閉塞部を備える請求項１又は２に記載の積層容器。
【請求項４】
被覆部は、本体部を収容可能な袋状に形成されている請求項１乃至３の何れか一項に記載の積層容器。
【請求項５】
本体部は、物品収容空間を形成する本体容器から構成されており、
本体容器は、発泡樹脂材を用いて一体的に形成された容器本体部を備えており、
容器本体部は、物品収容空間を外側に開放し物品収容空間における物品の出し入れを可能にする開口部と、本体貫通部とを備える請求項１乃至４の何れか一項に記載の積層容器。
【考案の詳細な説明】
【技術分野】
【０００１】
本考案は、積層容器に関する。
【背景技術】
【０００２】
従来、物品を収容可能な物品収容空間を形成する本体部と、該本体部を収容する本体部収容空間を形成する袋状の被覆部とを備えた積層容器が知られている（特許文献１）。斯かる積層容器では、物品収容空間に物品を収容した本体部が本体部収容空間に収容された状態で被覆部が閉塞されることになる。
【０００３】
ところで、上記のような積層容器を運搬等する際には、物品の性状によっては、物品収容空間の温度を所望の温度に保つことが要求される場合がある。斯かる場合には、物品を収容した積層容器を物品収容空間の温度とは異なる温度の環境に配置することで、物品収容空間の温度が所望の温度に低下する、又は、上昇するように調節される。
【先行技術文献】
【特許文献】
【０００４】
【特許文献１】特開２００９−１６１２３７号公報
【考案の概要】
【考案が解決しようとする課題】
【０００５】
しかしながら、上記のような積層容器は、物品収容空間が積層容器の外側の空間と連通していないため、物品収容空間の温度を所望する温度に調節する際に、長時間を要する場合がある。
【０００６】
そこで、本考案は、物品収容空間の温度を迅速に調節することができる積層容器を提供することを課題とする。
【課題を解決するための手段】
【０００７】
本考案に係る積層容器は、発泡樹脂材を用いて形成されると共に物品を収容可能な物品収容空間を形成する本体部と、物品収容空間の外側で本体部の少なくとも一部を覆う被覆部とを備えており、本体部は、本体部の外側の空間と物品収容空間とを連通させる本体貫通部を備えており、被覆部は、本体部の少なくとも一部を覆った状態で、本体部側の空間と本体部側とは反対側の空間とを連通させる被覆貫通部を備えており、本体貫通部の内側の空間と被覆貫通部の内側の空間とが重なるように本体部と被覆部とが配置される。
【０００８】
斯かる構成によれば、本体貫通部の内側の空間と被覆貫通部の内側の空間とが重なるように本体部と被覆部とが配置されることで、本体貫通部と被覆貫通部とを通して積層容器の外側の空間と物品収容空間との間で熱の移動が生じやすくなる。このため、物品収容空間の温度を迅速に調節することができる。
【０００９】
被覆部側から積層容器を見た際に、本体貫通部を構成する被覆部側の開口部が被覆貫通部の内側に位置することが好ましい。
【００１０】
斯かる構成によれば、被覆部側から積層容器を見た際に、本体貫通部を構成する被覆部側の開口部が被覆貫通部の内側に位置することで、本体貫通部と被覆貫通部とを通して積層容器の外側の空間と物品収容空間との間で熱の移動がより生じやすくなる。このため、物品収容空間の温度をより迅速に調節することができる。
【００１１】
被覆部は、被覆貫通部を閉塞する閉塞部を備えることが好ましい。
【００１２】
斯かる構成によれば、被覆貫通部を閉塞部で閉塞すると、本体貫通部と被覆貫通部とを通して積層容器の外側の空間と物品収容空間との間の熱移動が生じ難くなる。これにより、被覆貫通部を閉塞部で閉塞しない状態で物品収容空間の温度を調節した後、被覆貫通部を閉塞部で閉塞することで、物品収容空間の温度変化を抑制することができる。
【００１３】
被覆部は、本体部を収容可能な袋状に形成されていることが好ましい。
【００１４】
斯かる構成によれば、被覆部が袋状に形成されているため、本体部を収容することで被覆部によって本体部の少なくとも一部を容易に覆うことができる。これにより、積層容器を容易に形成することができる。
【００１５】
本体部は、物品収容空間を形成する本体容器から構成されており、
本体容器は、発泡樹脂材を用いて一体的に形成された容器本体部を備えており、
容器本体部は、物品収容空間を外側に開放し物品収容空間における物品の出し入れを可能にする開口部と、本体貫通部とを備えることが好ましい。
【００１６】
斯かる構成によれば、本体部が本体容器から構成され、該本体容器が発泡樹脂材を用いて一体的に形成された容器本体部を備える。そして、容器本体部は、物品収容空間を外側に開放し物品収容空間における物品の出し入れを可能にする開口部を備える。これにより、物品収容空間における物品の出し入れを容易に行うことができる。
【考案の効果】
【００１７】
本考案に係る積層容器は、物品収容空間の温度を迅速に調節することができる。
【図面の簡単な説明】
【００１８】
【図１】本考案の一実施形態に係る積層容器の構成を示した斜視図。
【図２】本考案の一実施形態に係る積層容器における本体貫通部及び被覆貫通部の近傍の断面図。
【図３】下記の実施例における試験結果を示したグラフ。
【考案を実施するための形態】
【００１９】
以下、本考案に係る積層容器の実施形態について、図面を参照しつつ説明する。
【００２０】
本実施形態に係る積層容器１は、発泡樹脂材を用いて形成されると共に物品を収容可能な物品収容空間Ｒ１を形成する本体部２と、物品収容空間Ｒ１の外側で本体部２の少なくとも一部を覆う被覆部３とを備える。
【００２１】
本体部２は、物品収容空間Ｒ１を形成する本体容器２ａから構成される。該本体容器２ａは、発泡樹脂材を用いて一体的に成形された容器本体部２ｂと、発泡樹脂材を用いて一体的に成形されて容器本体部２ｂに着脱可能な蓋体部２ｃとを備える。
【００２２】
容器本体部２ｂは、物品収容空間Ｒ１を外側に（具体的には、上方へ）開放する開口部２ｂ１を有する。該開口部２ｂ１は、物品収容空間Ｒ１における物品の出し入れを可能にする。そして、開口部２ｂ１に蓋体部２ｃが取り付けられることで物品収容空間Ｒ１が閉塞される。
【００２３】
本体部２（具体的には、本体容器２ａ）は、本体部２（具体的には、本体容器２ａ）の外側の空間と物品収容空間Ｒ１とを連通させる本体貫通部２ａ１を備える。具体的には、本体貫通部２ａ１は、容器本体部２ｂに形成される。また、本体貫通部２ａ１は、容器本体部２ｂの開口部２ｂ１が物品収容空間Ｒ１を開放する方向とは異なる方向（具体的には、上下方向に対して交差する横方向）に本体部２（具体的には、本体容器２ａ）を貫通する。
【００２４】
また、容器本体部２ｂは、開口部２ｂ１を形成する端部の一部が凹状となるように形成された凹状部２ａ２を備える。該凹状部２ａ２は、開口部２ｂ１に蓋体部２ｃが取り付けられることで（即ち、開口部２ｂ１が閉塞されることで）本体貫通部２ａ１を構成する。また、容器本体部２ｂは、開口部２ｂ１を形成する端部から離れた位置（具体的には、下方へ離れた位置）に形成される本体貫通部２ａ１を備える。
【００２５】
また、本体貫通部２ａ１は、本体部２（具体的には、本体容器２ａ）に複数形成される。具体的には、本体貫通部２ａ１は、本体部２（具体的には、本体容器２ａ）の対向する位置のそれぞれに形成される。
【００２６】
容器本体部２ｂ及び蓋体部２ｃを構成する発泡樹脂材としては、特に限定されるものではなく、例えば、ビーズ発泡法によって得られた発泡粒子を用いることができる。斯かる場合には、容器本体部２ｂ及び蓋体部２ｃは、発泡粒子を型内成形することで形成される。発泡ビーズの材質としては、例えば、ポリスチレン等のスチレン系樹脂、ポリエチレン、ポリプロピレン等のオレフィン系樹脂等が挙げられる。ビーズの材質としては、より成形加工性に優れるという点で、スチレン系樹脂が好ましい。
【００２７】
ポリスチレン系樹脂は、スチレン系モノマーが重合してなるものである。該ポリスチレン系樹脂としては、汎用のポリスチレン系樹脂が挙げられ、例えばスチレン、メチルスチレン、エチルスチレン、イソプロピルスチレン、ジメチルスチレン、パラメチルスチレン、クロロスチレン、ブロモスチレン、ビニルトルエン、ビニルキシレン等のスチレン系モノマー１種の単独重合体、又はこれらスチレン系モノマー複数種の共重合体が挙げられる。また、スチレン−ブタジエン共重合体等が例示される。
【００２８】
被覆部３は、本体部２（具体的には、本体容器２ａ）を収容可能な袋状の被覆袋３ａから構成される。該被覆袋３ａは、本体部２（具体的には、本体容器２ａ）を収容する本体収容空間Ｒ２を形成する。また、被覆部３（具体的には、被覆袋３ａ）は、本体部２（具体的には、本体容器２ａ）の少なくとも一部を覆った状態で、本体部２側の空間（具体的には、本体収容空間Ｒ２）と本体部２側とは反対側の空間（具体的には、被覆袋３ａの外側の空間）とを連通させる被覆貫通部３ａ１を備える。また、被覆袋３ａは、本体収容空間Ｒ２を形成する袋本体部３ｂと、被覆貫通部３ａ１を閉塞する閉塞部３ｃとを備える。
【００２９】
また、袋本体部３ｂは、本体収容空間Ｒ２を外側に（具体的には、上方へ）開放する開口部３ｂ１を有する。該開口部３ｂ１は、本体収容空間Ｒ２における本体部２（具体的には、本体容器２ａ）の出し入れを可能にする。また、袋本体部３ｂは、開口部３ｂ１を閉塞する蓋体部３ｂ２を備え、該蓋体部３ｂ２によって本体収容空間Ｒ２が閉塞される。また、袋本体部３ｂは、手等で把持する把持部３ｂ３を備える。
【００３０】
被覆貫通部３ａ１は、被覆袋３ａ（具体的には、袋本体部３ｂ）の外側の空間と本体収容空間Ｒ２とを連通させる。また、被覆貫通部３ａ１は、袋本体部３ｂの開口部３ｂ１が本体収容空間Ｒ２を開放する方向とは異なる方向（具体的には、上下方向に対して交差する横方向）に被覆袋３ａ（具体的には、袋本体部３ｂ）を貫通する。また、被覆貫通部３ａ１は、被覆袋３ａ（具体的には、袋本体部３ｂ）の本体収容空間Ｒ２に収容された本体部２（具体的には、本体容器２ａ）の本体貫通部２ａ１に対応した位置に形成される。また、被覆貫通部３ａ１は、被覆袋３ａ（具体的には、袋本体部３ｂ）に複数形成される。具体的には、被覆貫通部３ａ１は、被覆袋３ａ（具体的には、袋本体部３ｂ）の対向する位置のそれぞれに形成される。
【００３１】
被覆部３（具体的には、被覆袋３ａ）を構成する素材としては、特に限定されるものではなく、例えば、変形自在なシート材を用いることができる。具体的には、シート材としては、ナイロン及びポリエステル等の合成繊維を少なくとも一つを用いたものが挙げられる。また、ポリスチレン、ポリエチレン、及び、ポリプロピレンからなる群から選択される少なくとも一つを用いた発泡素材が挙げられる。また、被覆部３（具体的には、被覆袋３ａ）は、これらのシート材を縫製して形成されてもよい。また、被覆部３（具体的には、被覆袋３ａ）は、上記のシート材が複数積層された積層シートを用いて形成されることが好ましい。
【００３２】
閉塞部３ｃは、シート状、又は、板状に形成される。また、閉塞部３ｃは、袋本体部３ｂとは別体として形成される。また、閉塞部３ｃの面積は、被覆貫通部３ａ１を構成する被覆部３（具体的には、袋本体部３ｂ）の開口面積よりも広くなるように形成される。また、閉塞部３ｃは、袋本体部３ｂ（具体的には、被覆貫通部３ａ１の近傍）に対して着脱可能（例えば、面ファスナーを用いて着脱可能）に構成される。
【００３３】
次に、上記のように構成される本体部２（具体的には、本体容器２ａ）と被覆部３（具体的には、被覆袋３ａ）とから積層容器１が形成された状態について説明する。具体的には、本体部２（具体的には、本体容器２ａ）が被覆部３（具体的には、被覆袋３ａ）の本体収容空間Ｒ２に収容されることで、積層容器１が形成される。これにより、本体部２（具体的には、本体容器２ａ）の少なくとも一部（具体的には、容器本体部２ｂの側面と底面）が被覆部３（具体的には、被覆袋３ａ）によって覆われた状態となる。なお、積層容器１は、閉塞部３ｃによって被覆貫通部３ａ１が閉塞されない状態であってもよく閉塞された状態であってもよいものである。
【００３４】
また、図２に示すように、積層容器１が形成された状態で、本体貫通部２ａ１の内側の空間と被覆貫通部３ａ１の内側の空間とが重なる。また、積層容器１が形成された状態で、被覆部３側（具体的には、被覆袋３ａ側）から積層容器１を見た際に、本体貫通部２ａ１を構成する被覆部３側の開口が被覆貫通部３ａ１の内側に位置する。つまり、被覆貫通部３ａ１を構成する開口の面積は、本体貫通部２ａ１を構成する開口の面積よりも大きいものである。
【００３５】
上記のように構成される積層容器１を使用する際には、物品収容空間Ｒ１に物品を収容し、閉塞部３ｃで被覆貫通部３ａ１を閉塞しない状態（以下、未閉塞状態とも記す）で、所定の温度環境に配置される。未閉塞状態の積層容器１を配置する温度環境としては、物品収容空間Ｒ１の温度とは異なる温度の環境であれば、特に限定されるものではなく、例えば、物品収容空間Ｒ１の温度よりも低温の環境（例えば、冷蔵庫内や冷凍庫内等）であってもよく、物品収容空間Ｒ１の温度よりも高温の環境であってもよい。
【００３６】
これにより、物品収容空間Ｒ１の温度が所望の温度に調節される。その後、積層容器１を運搬等する際には、閉塞部３ｃで被覆貫通部３ａ１を閉塞した状態（以下、閉塞状態とも記す）にする。閉塞状態にすることで、物品収容空間Ｒ１の温度変化を抑制した状態で積層容器１を運搬等することができる。
【００３７】
以上のように、本考案に係る積層容器は、物品収容空間の温度を迅速に調節することができる。
【００３８】
即ち、本体貫通部２ａ１の内側の空間と被覆貫通部３ａ１の内側の空間とが重なるように本体部２と被覆部３とが配置されることで、本体貫通部２ａ１と被覆貫通部３ａ１とを通して積層容器１の外側の空間と物品収容空間Ｒ１との間で熱の移動が生じやすくなる。このため、物品収容空間Ｒ１の温度を迅速に調節することができる。
【００３９】
また、被覆部３側から積層容器１を見た際に、本体貫通部２ａ１を構成する被覆部３側の開口部が被覆貫通部３ａ１の内側に位置することで、本体貫通部２ａ１と被覆貫通部３ａ１とを通して積層容器１の外側の空間と物品収容空間Ｒ１との間で熱の移動がより生じやすくなる。このため、物品収容空間Ｒ１の温度をより迅速に調節することができる。
【００４０】
また、被覆貫通部３ａ１を閉塞部３ｃで閉塞すると、本体貫通部２ａ１と被覆貫通部３ａ１とを通して積層容器１の外側の空間と物品収容空間Ｒ１との間の熱移動が生じ難くなる。これにより、被覆貫通部３ａ１を閉塞部３ｃで閉塞しない状態で物品収容空間Ｒ１の温度を調節した後、被覆貫通部３ａ１を閉塞部３ｃで閉塞することで、物品収容空間Ｒ１の温度変化を抑制することができる。
【００４１】
また、被覆部３が袋状に形成されているため、本体部２を収容することで被覆部３によって本体部２の少なくとも一部を容易に覆うことができる。これにより、積層容器１を容易に形成することができる。
【００４２】
また、本体部２が本体容器２ａから構成され、該本体容器２ａが発泡樹脂材を用いて一体的に形成された容器本体部２ｂを備える。そして、容器本体部２ｂは、物品収容空間Ｒ１を外側に開放し物品収容空間Ｒ１における物品の出し入れを可能にする開口部２ｂ１を備える。これにより、物品収容空間Ｒ１における物品の出し入れを容易に行うことができる。
【００４３】
なお、本考案に係る積層容器は、上記実施形態に限定されるものではなく、本考案の要旨を逸脱しない範囲で種々の変更が可能である。また、上記及び下記の複数の実施形態の構成や方法等を任意に採用して組み合わせてもよい（１つの実施形態に係る構成や方法等を他の実施形態に係る構成や方法等に適用してもよい）ことは勿論である。
【００４４】
例えば、上記実施形態では、本体部２は、容器本体部２ｂと蓋体部２ｃとを備える本体容器２ａから構成されているが、これに限定されるものではなく、例えば、本体容器２ａが容器本体部２ｂのみを備えるように構成されてもよい。
【００４５】
また、上記実施形態では、本体部２は、本体容器２ａから構成されているが、これに限定されるものではなく、例えば、発泡樹脂材を用いて板状に形成された複数の板材が物品収容空間Ｒ１を形成するように配置されることで本体部２が形成されてもよい。斯かる板材としては、遮熱効果があるアルミ蒸着積層シート等（例えば、発泡ポリエチレンシートを芯材として、該芯材の一方の面上にアルミが蒸着され、蒸着されたアルミ面にＰＥＴシートが積層され、該芯材の他方面上にＨＤＰＥシートが積層されたもの等）を用いることができる。
【００４６】
また、上記実施形態では、本体貫通部２ａ１は、本体部２を横方向に貫通するものであるが、これに限定されるものではなく、例えば、本体部２を上下方向に貫通するように形成されてもよい。斯かる場合には、被覆貫通部３ａ１も上下方向に被覆部３を貫通するように形成される。
【００４７】
また、上記実施形態の本体貫通部２ａ１を構成する開口の形状としては、特に限定されるものではなく、例えば、横方向又は上下方向に伸びる形状であってもよく、四角形状、三角形状、又は、円形状等であってもよい。また、被覆貫通部３ａ１を構成する開口の形状としては、特に限定されるものではなく、例えば、横方向又は上下方向に伸びる形状であってもよく、四角形状、三角形状、又は、円形状等であってもよく、本体貫通部２ａ１を構成する開口の形状と同一形状であっても異なる形状であってもよい。
【００４８】
また、上記実施形態では、被覆部３が本体部２を覆った状態（被覆袋３ａに本体容器２ａが収容された状態）で、本体部２における本体貫通部２ａ１近傍の領域以外の領域が露出しないように構成されているが、これに限定されるものではなく、例えば、本体部２における本体貫通部２ａ１近傍の領域以外の領域が露出するように構成されてもよい。
【００４９】
また、上記実施形態では、被覆部３は、袋状に形成されている（即ち、被覆袋３ａから構成されている）が、これに限定されるものではなく、例えば、袋状に形成されないものであってもよい。具体的には、本体部２の一部の領域のみを覆う面状の部材から構成されてもよい。
【００５０】
また、上記実施形態では、閉塞部３ｃは、被覆袋３ａとは別体であるが、これに限定されるものではなく、例えば、被覆袋３ａに連結された状態で、積層容器１の未閉塞状態と閉塞状態とを変更できるように構成されてもよい。
【実施例】
【００５１】
以下、実施例、及び、比較例を用いて本考案を更に具体的に説明するが、本考案は、以下の実施例に限定されるものではない。
【００５２】
＜実施例＞
１．積層容器１の構成
・本体部：図１に示す本体容器２ａを用いた。具体的には、厚さ３０ｍｍの発泡樹脂製の容器（蓋体部２ｃを含む外形寸法：６００ｍｍ×４００ｍｍ×４００ｍｍ、本体貫通部２ａ１の形状：１００ｍｍ×５０ｍｍの矩形状）を用いた。
・被覆部：図１に示す被覆袋３ａを用いた。具体的には、素材がナイロンである縫製袋（被覆貫通部３ａ１の形状：１２０ｍｍ×７０ｍｍの矩形状）を用いた。
【００５３】
２．物品収容空間Ｒ１の温度変化の評価
・予冷工程
未閉塞状態（被覆貫通部３ａ１を閉塞部３ｃで閉塞しない状態）の積層容器１をマイナス２０℃の温度環境に配置した。
・保冷工程
予冷工程後、閉塞状態（被覆貫通部３ａ１を閉塞部３ｃで閉塞した状態）の積層容器１を３０℃の温度環境に配置した。
・温度の測定
予冷工程の開始から保冷工程に亘って、物品収容空間Ｒ１における容器本体部２ｂの底部近傍の温度を経時的に測定した。温度の測定には、安立計器社製  ＡＭ−７００２を用いた。測定結果については、図３のグラフに示す。
【００５４】
＜比較例＞
被覆貫通部３ａ１を有さない被覆袋３ａを用いたこと以外は、実施例と同一条件で温度測定を行った。測定結果については、図３のグラフに示す。
【００５５】
＜まとめ＞
図３のグラフを見ると、予冷工程では、実施例の方が比較例よりも早く物品収容空間Ｒ１の温度が環境温度に近い温度になることが認められる。つまり、本体貫通部２ａ１と被覆貫通部３ａ１とが重なるように本体部２と被覆部３とが配置されることで、物品収容空間Ｒ１の温度を迅速に調節することができる。
また、保冷工程では、実施例及び比較例の物品収容空間Ｒ１の温度は、環境温度に対して同等の変化であることが認められる。つまり、閉塞部３ｃによって被覆貫通部３ａ１を閉塞することで、物品収容空間Ｒ１の温度変化を抑制することができる。
【符号の説明】
【００５６】
１…積層容器、２…本体部、２ａ…本体容器、２ａ１…本体貫通部、２ａ２…凹状部、２ｂ…容器本体部、２ｂ１…開口部、２ｃ…蓋体部、３…被覆部、３ａ…被覆袋、３ａ１…被覆貫通部、３ｂ…袋本体部、３ｂ１…開口部、３ｂ２…蓋体部、３ｂ３…把持部、３ｃ…閉塞部、Ｒ１…物品収容空間、Ｒ２…本体収容空間
【図１】
0003220485.tif 000003
【図２】
0003220485.tif 000004
【図３】
0003220485.tif 000005